(57)【要約】【課題】振動、落下などの外乱により視野率が変化しにくい光学ファインダを提供すること。【解決手段】観察光路を正立正像に変換反射するペンタプリズム（８）と、前記ペンタプリズム（８）を保持する保持部材１（２１）と、被写体の観察エリアを決定する視野枠（１８）と、前記視野枠（１８）を保持する保持部材２（２３）を有したファインダユニット（１００）と、撮像素子（１５）と、前記ファインダユニット（１００）と、前記撮像素子（１５）の位置関係の少なくとも一部を決定する筐体部材（１９）を有した撮像装置であって、前記保持部材１（２１）は筐体部材（１９）に固定され、前記保持部材２（２３）は観察光路と垂直な平面を移動可能なように構成され、前記筐体部材（１９）に固定されていることを特徴とする。【選択図】図２
2017068183.tif 000002
【特許請求の範囲】
【請求項１】
観察光路を正立正像に変換反射するペンタプリズム（８）と、
前記ペンタプリズム（８）を保持する保持部材１（２１）と、
被写体の観察エリアを決定する視野枠（１８）と、
前記視野枠（１８）を保持する保持部材２（２３）を有した
ファインダユニット（１００）と、
撮像素子（１５）と、
前記ファインダユニット（１００）と、前記撮像素子（１５）の
位置関係の少なくとも一部を決定する筐体部材（１９）
を有した撮像装置であって、
前記保持部材１（２１）は筐体部材（１９）に固定され、
前記保持部材２（２３）は観察光路と垂直な平面を移動可能なように構成され、
前記筐体部材（１９）に固定されている
ことを特徴とする撮像装置。
【請求項２】
前記保持部材２（２３）は、前記観察光路において、
前記保持部材１（２１）よりも被写体側に配置され、
前記保持部材１（２１）と、前記保持部材２（２３）を
前記筐体部材（１９）に固定した時、
前記保持部材２（２３）の固定部（２３ｃ）が、
前記保持部材１（２１）から露出するように構成している
ことを特徴とする請求項１に記載の撮像装置。
【請求項３】
前記保持部材１（２１）と、前記保持部材２（２３）の間には、
外部から侵入するゴミを遮断するシーリング部材（２６）が配置され、
前記保持部材２（２３）は、
前記シーリング部材（２６）の少なくとも一部をつぶした状態で
前記撮影光路と垂直な平面を移動する
ことを特徴とする請求項１又は請求項２に記載の撮像装置。
【請求項４】
前記ファンダユニット（１００）はさらに透過型液晶素子（７）を有し、
前記透過型液晶素子（７）は、
前記保持部材２（２３）により保持されている
ことを特徴とする請求項１乃至請求項３の何れか一項に記載の撮像装置。
【発明の詳細な説明】
【技術分野】
【０００１】
本発明は、被写体を観察する光学ファインダに関し、主にその内部構成に関する。
【背景技術】
【０００２】
被写体を観察する光学ファインダと撮影光路内外を移動可能なミラーと、被写体を撮像する撮像素子を備えたカメラが知られている。
【０００３】
このようなカメラでは、光学ファインダ内の観察エリアを決定している視野枠と撮像素子の撮像エリアを決定している撮像枠が略同一であることが望ましい。
【０００４】
このため、前記カメラの製造工程では、視野枠と撮像枠の一致度を示す値である視野率を保証するため、高精度な調整が行われている。
【０００５】
また、ユーザーの使用環境において、カメラの振動や落下などの外乱が発生しても上記視野枠と撮像枠の相対位置を一定に保つため、光学ファインダはミラーボックス部材などの筐体に強固に固定されている（特許文献１参照）。
【先行技術文献】
【特許文献】
【０００６】
【特許文献１】特開２００７−１８７７２７号公報
【発明の概要】
【発明が解決しようとする課題】
【０００７】
しかしながら、従来例のような光学ファインダは、ペンタプリズム、接眼レンズなどの光学部品にて構成されている。
【０００８】
そのため、重量が重く、振動や落下などにより、慣性力が大きく作用し、従来の光学ファインダの固定方法では、筐体から動いてしまい、視野枠が動き、視野率が変化するという問題があった。
【０００９】
本発明は、上記従来例を鑑みたものであり、その目的は、振動、落下などの外乱により視野率が変化しにくい光学ファインダを有した撮像装置を提供することにある。
【課題を解決するための手段】
【００１０】
上記の目的を達成するために、本発明に係る撮像装置は、
観察光路を正立正像に変換反射するペンタプリズム（８）と、
前記ペンタプリズム（８）を保持する保持部材１（２１）と、
被写体の観察エリアを決定する視野枠（１８）と、
前記視野枠（１８）を保持する保持部材２（２３）を有した
ファインダユニット（１００）と、
撮像素子（１５）と、
前記ファインダユニット（１００）と、前記撮像素子（１５）の
位置関係の少なくとも一部を決定する筐体部材（１９）
を有した撮像装置であって、
前記保持部材１（２１）は筐体部材（１９）に固定され、
前記保持部材２（２３）は観察光路と垂直な平面を移動可能なように、
前記筐体部材（１９）に固定されている
ことを特徴とする。
【発明の効果】
【００１１】
本発明に係る撮像装置によれば、ペンタプリズムと視野枠がそれぞれ別体化され、筐体部材に固定されているため、視野枠を保持するユニットの重量は軽く、慣性力の影響を受けにくい。そのため、振動、落下などの外乱により視野率が変化しにくい光学ファインダを提供することが可能となる。
【図面の簡単な説明】
【００１２】
【図１】本発明のデジタル一眼レフカメラの構成図
【図２】本実施例におけるファインダユニット１００の構成図。
【図３】本実施例におけるペンタユニット１０１の構成図
【図４】本実施例におけるＦＳユニット１０２の構成図
【図５】本実施例における視野率調整を説明するための図
【発明を実施するための形態】
【００１３】
以下に、本発明の好ましい実施の形態を、添付の図面に基づいて詳細に説明する。
【００１４】
図１〜図５を参照して、本発明の実施例による、デジタル一眼レフカメラについて説明する。図１は本発明のデジタル一眼レフカメラの構成図で、光学ファインダ観察状態を示している。
【００１５】
図１において、１はカメラ本体、２は交換レンズである。光学ファインダ観察状態では、交換レンズ２を通った撮影光束は、主ミラー３により、９０°上方に反射される。また、主ミラー３はハーフミラーで構成され、主ミラー３を一部透過した撮影光束は、サブミラー４によりカメラ本体１の底面方向に反射される。底面方向に反射された撮影光束はＡＦユニット５に導かれる。
【００１６】
ＡＦユニット５は、従来から一眼レフカメラに用いられている位相差ＡＦ方式で構成されている。主ミラー３により、９０°上方に反射された撮影光束は、ピント板６に結像する。ピント板６の結像面は、撮影面と光学的に等距離な位置に配置されている。
【００１７】
７は高分子分散液晶パネル（以下ＰＮ−ＬＣＤと称する）で、ＰＮ−ＬＣＤ７はピント板６の直上に配置されている。ＰＮ−ＬＣＤ７は非通電時には拡散状態になり、通電時に透過状態になる高分子分散液晶で構成されている。
【００１８】
８はペンタプリズム、９は接眼レンズユニットで、ピント板６に結像した像をＰＮ−ＬＣＤ７を通し、ファインダ像として観察できるように構成されている。
【００１９】
１０は測光ユニットで、測光ユニット１０はピント板６の拡散光をヤブにらみ方向から検出して被写体の測光を行う。
【００２０】
１１は情報表示ユニットで、ＴＮ液晶パネルとバックライト等で構成される。情報表示ユニット１１から出た光はプリズム１２を介してペンタプリズム８に入り、接眼レンズユニット９を通してファインダ像の下側に観察される。
【００２１】
１３はＰＮ−ＬＣＤ７の照明用のライトガイドバーである。ライトガイドバー１３は第１の情報表示パネルと対向する側に配置されている。
【００２２】
１４はシャッターユニットである。シャッターユニット１４は縦走りのフォーカルプレーンシャッターで構成されている。
【００２３】
１５は撮像素子で、ＣＭＯＳセンサー等で構成される。また、上記撮像素子により、撮像される写真の範囲いわゆる撮像枠が決定される。
【００２４】
１６は交換レンズ２に内蔵された撮影光学系である。撮影光学系１６はカメラ本体１からのコントロールにより、フォーカス調整が可能な構成をとっている。
【００２５】
１７は絞りである。絞り１７はカメラ本体１からのコントロールにより、開口径の調整が可能な構成をとっている。
【００２６】
１８は視野マスクであり、視野の範囲いわゆる視野枠を決定する。また、前記撮像枠と、視野枠の位置により、視野率（視野枠と撮像枠の一致度を示す値）が決定される。
【００２７】
１００は、ファインダユニットであり、本実施例におけるファインダユニット１００は、後述するが、ペンタプリズム８や、接眼ユニット９、測光ユニット１０を有するペンタユニット１０１（図２）と、ピント板６やＰＮ−ＬＣＤ７、視野マスク１８、ＩＬＣ表示パネル１１を有するＦＳユニット１０２（図２）に分離することができる。
【００２８】
図１において、撮影動作が行われる場合、主ミラー３とサブミラー４が上方に跳ねあげられ、シャッターユニット１４と絞り１７により露光量がコントロールされて撮像素子１５で撮影が行われる。撮影後、主ミラー３とサブミラー４は図１の位置に戻る。
【００２９】
図２は本実施例におけるファインダユニット１００の構成図である。
【００３０】
本実施例におけるファインダユニット１００は、ペンタユニット１０１と、ＦＳユニット１０２に分離される。
【００３１】
１９はミラーボックス部材であり、ミラーボックス部材１９は、ファインダユニット１００を保持しているほか、主ミラー３やＡＦユニット５、シャッターユニット１４、撮像素子１５を保持し、その位置を決定しているが、図面簡略化のため、ファインダユニット１００と、ミラーボックス部材１９のみ表示している。
【００３２】
ペンタユニット１０１は、ビス２０により、ミラーボックス部材１９に締結される。
また、後述するが、ＦＳユニットは、ミラーボックス部材１９に接着される。
【００３３】
図３は本実施例におけるペンタユニット１０１の構成図である。
【００３４】
ペンタユニット１０１は、ペンタプリズム８、接眼レンズユニット９、測光ユニット１０で構成される。ここで、本実施例におけるファインダユニット１００の測光ユニット１０は、接眼レンズ蓋２２に取り付けられるが、図面簡略化のために省略している。
【００３５】
２１は、ペンタ保持部材であり、ペンタプリズム８および、接眼レンズ２７〜２９からなる接眼ユニット９を保持する。
【００３６】
２２は、接眼レンズ蓋であり、接眼レンズユニットが光軸から垂直方向に抜けないように蓋をする役割を果たしている。また、接眼レンズ蓋２２は、ビス３０により、ペンタ保持部材２１に締結されている。
【００３７】
２７は、Ｇ１レンズである。２８は、Ｇ２レンズである。Ｇ２レンズは、視度補正のために光軸方向に移動するが、公知の技術のため説明を割愛する。２９は、Ｇ３レンズである。本実施例における接眼ユニット９は３枚のレンズにより構成される。Ｇ３レンズ２９は、撮影者に一番近い場所に配置されている。
【００３８】
図４は本実施例におけるＦＳユニット１０２の構成図である。
【００３９】
ＦＳユニット１０２は、ピント板６、ＰＮ−ＬＣＤ７、情報表示ユニット１１、視野マスク１８で構成される。
【００４０】
２３は、ＰＮ−ＬＣＤ保持部材であり、ＰＮ−ＬＣＤ７、ライトガイドバー１３、情報表示ユニット１１を保持する。
【００４１】
２４は、ＦＳ保持部材であり、ピント板７、視野マスク１８を保持する。
【００４２】
２５は、ペンタマスクであり、主に情報表示ユニット１１の情報枠として使用する。また、ペンタマスク２５は、両面テープなどでＰＮ−ＬＣＤ保持部材２３に固定される。
【００４３】
２６は、ゴミ侵入防止部材であり、ファインダユニット１００がミラーボックス部材１９に組み込まれた状態では、ペンタ保持部材２１とＰＮ−ＬＣＤ保持部材２３の間で潰されることでゴミの侵入を防止する。また、後述する視野率調整では、固定されたペンタ保持部材の下をＦＳユニット１０２と一体的にゴミ侵入防止部材が潰されたまま、滑るように移動する。
【００４４】
３１は、ＰＮ−ＬＣＤ固定テープであり、ライトガイドバー、ＰＮ−ＬＣＤをＰＮ−ＬＣＤ保持部材２３に固定するために使用する。
【００４５】
３２は、ピント調整ワッシャであり、その厚みによりピント板の光軸方向の位置を調整する。
【００４６】
３３は、ピント板抑えバネであり、その両端である３３ａ、３３ｂをＦＳ保持部材２４に引っ掛けてピント板６、視野マスク１８、ピント調整ワッシャ３２を光軸方向に押しつけている。
【００４７】
３４は、情報表示ユニット１１を保持する情報表示ユニット保持部材である。
【００４８】
ＦＳ保持部材２４はビス３５、情報表示ユニット保持部材３４はビス３６によってそれぞれＰＮ−ＬＣＤ保持部材２４に締結されていることで、ユニット化されている。
【００４９】
次に、図５を用いて前記撮像枠と前記視野枠の相対位置の調整、つまり、視野率の調整について説明する。
【００５０】
本発明におけるデジタル一眼レフカメラでは、前記撮像枠を固定した状態で、視野率の調整を行う。視野率の調整には、図５−１のように、視野枠の位置を移動させ、固定された撮像枠と視野枠を合わせる。具体的には、本発明のファインダユニット１００では、ペンタユニット１０１（図２）は、ミラーボックス部材１９に固定し、ＦＳユニット１０２（図２）の位置をベクトルＸまたは、ベクトルＺの方向に移動させる。
【００５１】
上記により、ＦＳユニット１０２（図２）と一体的に移動する視野マスク１８の位置を移動させ、視野率を調整する。
【００５２】
ここで、ＦＳユニット１０２（図２）を移動させる手段は複数あるが、例えば、ＰＮ−ＬＣＤ保持部材２３（図４）に設けた突起２３ａや２３ｂを不図示の冶具により掴んでベクトルＸまたはベクトルＹの方向に移動させる方法でもよい。また、ＰＮ−ＬＣＤ保持部材２３に設けた固定部２３ｃは、ペンタユニット１０１（図２）とＦＳユニット１０２（図２）をミラーボックス部材１９に取り付けた際も、ペンタユニット１０１から露出するように構成している。
【００５３】
図５−２のように、ＦＳユニット１０２を、所望の視野率の位置まで移動したら、ＰＮ−ＬＣＤ保持部材２３に設けた固定部２３ｃとミラーボックス部材１９に設けた固定部１９ａに接着剤２２を塗布することでミラーボックス１９とＦＳユニット１０２を固定する。
【００５４】
ここで、本実施例によれば、一眼レフカメラをユーザーが使用環境下において、たとえば、あやまって落下させてしまった場合でも、ペンタユニット１０１とＦＳユニット１０２が分離されているため、ペンタプリズム８のような重い部品の慣性がＦＳユニット１０６、視野マスク１８に伝達されにくい。そのため、視野マスク１８の位置が変化しにくく、視野率が変化しにくい。
【００５５】
また、ペンタユニット１０１とＦＳユニット１０２の間にはゴミ侵入防止部材があり、常にゴミの侵入を防いでいるため、ＰＮ−ＬＣＤ７や、ペンタプリズム８を取り外し、ゴミを除去する作業が不要となる。
【００５６】
以上、本発明の好ましい実施形態について説明したが、本発明はこれらの実施形態に限定されず、その要旨の範囲内で種々の変形及び変更が可能である。
【符号の説明】
【００５７】
１  カメラ本体、２  交換レンズ、３  主ミラー、４  サブミラー、５  ＡＦユニット、
６  ピント板、７ＰＮ−ＬＣＤ、８  ペンタプリズム、９  接眼レンズユニット、
１０  測光ユニット、１１  情報表示ユニット、１２  プリズム、
１３  ライトガイドバー、１４  シャッターユニット、１５  撮像素子、
１６  撮影光学系、１７  絞り、１８  視野マスク、１９  ミラーボックス部材、
２６  ゴミ侵入防止部材、１００  ファインダユニット、１０１  ペンタユニット、
１０２  ＦＳユニット
【図１】
2017068183.tif 000003
【図２】
2017068183.tif 000004
【図３】
2017068183.tif 000005
【図４】
2017068183.tif 000006
【図５】
2017068183.tif 000007